(57)【要約】【課題】熱感知探知信号の探知回避に用い、隠匿の目的を達成する軍事用電子装置を提供する。【解決手段】本発明は、熱感知探知信号２１の探知回避に用い、電子装置２２、熱隔絶部品２３、反探知部品２４から構成され、該電子装置２２は作動時に熱エネルギーを生じ、該熱隔絶部品２３は該電子装置２２表面に設置し、該電子装置２２が発生する熱エネルギーを隔絶し、該反探知部品２４は該熱隔絶部品２３表面に設置し、熱感知探知信号２１を吸収する。【選択図】図２
2007200273.tif 000002
【特許請求の範囲】
【請求項１】
熱感知探知信号の探知回避に用い、電子装置、熱隔絶部品、反探知部品から構成され、
該電子装置は作動時に熱エネルギーを生じ、
該熱隔絶部品は該電子装置表面に設置し、該電子装置が発生する該熱エネルギーを隔絶し、
該反探知部品は該熱隔絶部品表面に設置し、該熱感知探知信号を吸収することを特徴とする軍事用電子装置。
【請求項２】
前記電子装置はコンピュータシステムであることを特徴とする請求項１記載の軍事用電子装置。
【請求項３】
前記熱隔絶部品は熱隔絶材質を使用し製造するケース体であることを特徴とする請求項１記載の軍事用電子装置。
【請求項４】
前記熱隔絶部品は熱隔絶塗料を用いたことを特徴とする請求項１記載の軍事用電子装置。
【請求項５】
前記軍事用電子装置はさらに導熱部品を含み、該熱エネルギーを該軍事用電子装置外に導出することを特徴とする請求項１記載の軍事用電子装置。
【請求項６】
前記反探知部品は反熱感知探知材質を使用し製造するケース体であることを特徴とする請求項１記載の軍事用電子装置。
【請求項７】
前記反探知部品は反熱感知探知塗料を用いたことを特徴とする請求項１記載の軍事用電子装置。
【発明の詳細な説明】
【技術分野】
【０００１】
本発明は一種の軍事用電子装置に関する。特に一種の熱感知探知信号の探知回避に用い、外ケースを通し或いは表面を覆う塗料を利用し、隠匿の目的を達成する軍事用電子装置に係る。
【背景技術】
【０００２】
テクノロジーの進歩により電子装置の処理速度はますます速く、処理するデータ量もますます膨大になっている。しかしこれに連れて電子装置が作動時に発生する熱エネルギーも増加の一途を辿っている。一般の使用環境では、散熱を適切に行いさえすれば大きな問題にはならないが、軍事環境では、図１に示すように、電子装置１３の作動により発生する熱エネルギーは熱感知探知装置１１により感知され、発信される熱感知探知信号１２により該電子装置１３の所在位置は探し当てられてしまう。
これでは使用者に危険が及ぶため、如何にして効果的に電子装置内部の熱を隔絶し、熱感知装置による探知を回避し、さらには該熱感知装置が発信する熱感知信号を吸収するかは、軍事用電子装置にとっては非常に重要である。
【特許文献１】特開２００５−２４１５５６号公報
【発明の開示】
【発明が解決しようとする課題】
【０００３】
公知構造には以下の欠点があった。
すなわち、昨今の電子装置は作動時に大量の熱エネルギーを発するが、該熱エネルギーは熱感知探知装置により感知され、熱感知探知信号が発信され、電子装置の所在が探し当てられてしまい、軍事環境では使用者に危険を及ぼしている。
本発明は上記構造の問題点を解決した軍事用電子装置を提供するものである。
【課題を解決するための手段】
【０００４】
上記課題を解決するため、本発明は、下記の特徴を有する軍事用電子装置を提供する。
１．請求項１に記載の軍事用電子装置は、熱感知探知信号の探知回避に用い、電子装置、熱隔絶部品、反探知部品から構成され、該電子装置は作動時に熱エネルギーを生じ、該熱隔絶部品は該電子装置表面に設置し、該電子装置が発生する該熱エネルギーを隔絶し、該反探知部品は該熱隔絶部品表面に設置し、該熱感知探知信号を吸収することを特徴とする。
２．請求項２に記載の軍事用電子装置は、請求項１の場合において、前記電子装置はコンピュータシステムであることを特徴とする。
３．請求項３に記載の軍事用電子装置は、請求項１の場合において、前記熱隔絶部品は熱隔絶材質を使用し製造するケース体であることを特徴とする。
４．請求項４に記載の軍事用電子装置は、請求項１の場合において、前記熱隔絶部品は熱隔絶塗料であることを特徴とする。
５．請求項５に記載の軍事用電子装置は、請求項１の場合において、前記軍事用電子装置はさらに導熱部品を含み、該熱エネルギーを該軍事用電子装置外に導出することを特徴とする。
６．請求項６に記載の軍事用電子装置は、請求項１の場合において、前記反探知部品は反熱感知探知材質を使用し製造するケース体であることを特徴とする。
７．請求項７に記載の軍事用電子装置は、請求項１の場合において、前記反探知部品は反熱感知探知塗料であることを特徴とする。
【発明の効果】
【０００５】
上記のように、本発明は発生する内部熱源の影響を排除し、軍事作業の環境下でもコンピュータ設備を正常かつ持続的に作動可能とすることができ、また使用者の所在位置を隠匿することができる。さらに本発明は内部熱源の影響を排除し、軍事作業の環境下でもコンピュータ設備の使用性能を高めることができ、加えてコンピュータ設備の作動効率を向上させることができる。
【発明を実施するための最良の形態】
【０００６】
図２に示すように、本発明の軍事用電子装置は熱感知探知信号２１、電子装置２２、熱隔絶部品２３、反探知部品２４を含む。
該熱感知探知信号２１は熱感知探知装置２６が発信する。該電子装置２２は作動時に熱エネルギー２５を生じ、該熱隔絶部品２３は該電子装置２２表面に設置し、該電子装置２２が発生する熱エネルギー２５を隔絶する。該反探知部品２４は該熱隔絶部品２３表面に設置し、該熱感知探知信号２１を吸収する。
該熱隔絶部品２３は熱隔絶材質を使用し製造するケース体或いは熱隔絶塗料を用い、該反探知部品２４は反熱感知探知材質を使用し製造するケース体或いは反熱感知探知塗料を用いる。また、該電子装置２２はコンピュータシステムであることが望ましい。さらに、該軍事用電子装置は導熱部品を含み、該熱エネルギー２５を軍事用電子装置外部に導出し、該電子装置２２はコンピュータシステムであることが望ましい。
【０００７】
次に図３に示すように、本発明の軍事用電子装置は赤外線熱感知信号３１、赤外線熱感知器３６、コンピュータシステム３２、熱隔絶塗料３３、反探知塗料３４、導熱部品３７を含む。
該赤外線熱感知信号３１は赤外線熱感知器３６が発信し、熱エネルギー３５を探知し、該コンピュータシステム３２は作動時に熱エネルギー３５を生じ、該熱隔絶塗料３３は該コンピュータシステム３２表面を覆い、該コンピュータシステム３２が発生する熱エネルギー３５を隔絶する。該反探知塗料３４は該熱隔絶塗料３３表面を覆い、該赤外線熱感知信号３１を吸収する。該導熱部品３７は該熱エネルギー３５を該軍事用電子装置外に導出する。
【図面の簡単な説明】
【０００８】
【図１】軍事環境における電子装置の指示図である。
【図２】本発明の軍事用電子装置のブロックチャートである。
【図３】本発明の軍事用電子装置の最適実施例ブロックチャートである。
【符号の説明】
【０００９】
１１   熱感知探知装置
１２   熱感知探知信号
１３   電子装置
２１   熱感知探知信号
２２   電子装置
２３   熱隔絶部品
２４   反探知部品
２５   熱エネルギー
２６   熱感知探知装置
３１   赤外線熱感知信号
３２   コンピュータシステム
３３   熱隔絶塗料
３４   反探知塗料
３５   熱エネルギー
３６   赤外線熱感知器
３７   導熱部品
【図１】
2007200273.tif 000003
【図２】
2007200273.tif 000004
【図３】
2007200273.tif 000005